(57)【要約】【課題】両面印字において裏写りが予想される場合に、印字濃度を下げることで裏写りを抑制するものにおいて、裏写り抑制処理による可読性の低下を防ぐ。【解決手段】印字用紙Ｐの両面に印字を行う画像形成装置１であって、印字用紙Ｐの裏写り度合いを測定する裏写り度合い測定手段４０と、印字用紙Ｐの裏写り度合いが所定の閾値を超えるとき、文字部以外の印字領域において印字ドットを間引くことにより印字濃度を下げる裏写り抑制手段５０とを備える。【選択図】図５
2011174962.tif 000002
【特許請求の範囲】
【請求項１】
印字用紙の両面に印字を行う画像形成装置であって、
前記印字用紙の裏写り度合いを測定する裏写り度合い測定手段と、
前記印字用紙の裏写り度合いが所定の閾値を超えるとき、文字部以外の印字領域において印字濃度を下げる裏写り抑制手段と、を備えることを特徴とする画像形成装置。
【請求項２】
前記裏写り抑制手段は、前記印字用紙の裏写り度合いが所定の閾値を超えるとき、文字以外の印字領域において印字ドットを間引くことにより、印字濃度を下げる請求項１記載の画像形成装置。
【請求項３】
前記裏写り抑制手段は、前記印字用紙の裏写り度合いが所定の閾値を超えるとき、文字以外の印字領域において本来の印字濃度を一定の比率で下げる請求項１又は２記載の画像形成装置。
【請求項４】
前記裏写り抑制手段は、前記印字用紙の裏写り度合いが所定の閾値を超えるとき、文字以外の印字領域において本来の印字濃度が所定の閾値を超える領域のみ印字濃度を下げる請求項１〜３のいずれか一項に記載の画像形成装置。
【請求項５】
前記裏写り抑制手段は、前記印字用紙の裏写り度合いが所定の閾値を超えるとき、その旨をユーザに報知する請求項１〜４のいずれか一項に記載の画像形成装置。
【請求項６】
前記裏写り度合い測定手段は、
印字用紙搬送経路の一側に沿って配置される高反射率部材と、
印字用紙搬送経路の一側に沿って配置される低反射率部材と、
印字用紙搬送経路の他側に配置され、印字用紙搬送経路上の前記印字用紙を介して前記高反射率部材に光を照射し、その反射光の受光レベルを検出する第一反射率センサと、
印字用紙搬送経路の他側に配置され、印字用紙搬送経路上の前記印字用紙を介して前記低反射率部材に光を照射し、その反射光の受光レベルを検出する第二反射率センサと、
前記第一反射率センサの受光レベルと前記第二反射率センサの受光レベルとの差にもとづいて、前記印字用紙の裏写り度合いを判定する裏写り度合い判定手段と、を備える請求項１〜５のいずれか一項に記載の画像形成装置。
【請求項７】
印字用紙の両面に印字を行う画像形成方法であって、
前記印字用紙の裏写り度合いを測定する裏写り度合い測定ステップと、
前記印字用紙の裏写り度合いが所定の閾値を超えるとき、文字部以外の印字領域において印字濃度を下げる裏写り抑制ステップと、を備えることを特徴とする画像形成方法。
【発明の詳細な説明】
【技術分野】
【０００１】
本発明は、印字用紙の両面に印字を行う複写機、プリンタ、ファクシミリなどの画像形成装置及び画像形成方法に関する。
【背景技術】
【０００２】
印字用紙の両面に印字を行う両面印字機能を備えた画像形成装置が知られている（例えば、特許文献１参照）。
近年、紙の使用量を削減するために、両面印字機能を使用する場合が増えているが、両面印字においては、印字用紙の厚さや原稿の濃度によって裏写りが発生し、印字物の可読性が低下することがある。
【０００３】
そこで、印字用紙の透過率を測定し、測定した透過率にもとづいて印字濃度を制御する画像形成装置が提案されている（例えば、特許文献２参照）。
例えば、印字用紙の透過率が高く、裏写りが予想される場合は、印字濃度を下げることにより、裏写りを抑制するようになっている。
【先行技術文献】
【特許文献】
【０００４】
【特許文献１】特許第４０６３７０２号公報
【特許文献２】特開平７−２０９９２４号公報
【発明の概要】
【発明が解決しようとする課題】
【０００５】
しかしながら、特許文献２に示される画像形成装置では、印字用紙の透過率に応じて、印字物の印字濃度を段階的に制御するに過ぎない。
このため、印字用紙の透過率が高い場合に、印字領域全体の印字濃度が下がり、印字物の可読性が低下する可能性がある。
すなわち、特許文献２に示される画像形成装置では、裏写りの可能性が高い印字領域と、裏写りの可能性が低い印字領域を区別することなく、印字領域全体の印字濃度を一様に下げるので、裏写りの可能性が低い印字領域において印字濃度が不要に下げられ、可読性が低下する可能性がある。
【０００６】
また、特許文献２に示される画像形成装置では、印字用紙の透過率を測定するために、印字用紙搬送経路を挟むように発光素子と受光素子を配置しているので、配線の引き回しが複雑になるだけでなく、印字用紙搬送経路の両側に十分な配置スペースを確保できない画像形成装置では実施が困難であった。
【０００７】
本発明は、上記の事情に鑑みてなされたものであり、両面印字において裏写りが予想される場合に、印字濃度を下げることで裏写りを抑制するものでありながら、良好な可読性を維持することができる画像形成装置及び画像形成方法の提供を目的とする。
【課題を解決するための手段】
【０００８】
上記目的を達成するため本発明の画像形成装置は、印字用紙の両面に印字を行う画像形成装置であって、前記印字用紙の裏写り度合いを測定する裏写り度合い測定手段と、前記印字用紙の裏写り度合いが所定の閾値を超えるとき、文字部以外の印字領域において印字濃度を下げる裏写り抑制手段とを備える構成としてある。
【０００９】
また、本発明の画像形成方法は、印字用紙の両面に印字を行う画像形成方法であって、前記印字用紙の裏写り度合いを測定する裏写り度合い測定ステップと、前記印字用紙の裏写り度合いが所定の閾値を超えるとき、文字部以外の印字領域において印字濃度を下げる裏写り抑制ステップとを備える方法としてある。
【発明の効果】
【００１０】
本発明によれば、両面印字において裏写りが予想される場合に、印字濃度を下げることで裏写りを抑制するものでありながら、良好な可読性を維持することができる。
【図面の簡単な説明】
【００１１】
【図１】本発明の一実施形態に係る画像形成装置の概略構成を示す側面図である。
【図２】本発明の一実施形態に係る画像形成装置の特徴的な構成を示すブロック図である。
【図３】本発明の一実施形態に係る画像形成装置の印字用紙供給部を示す側面図である。
【図４】本発明の一実施形態に係る画像形成装置の裏写り度合い判定方法を示す表図である。
【図５】本発明の一実施形態に係る画像形成装置の裏写り抑制方法を示す説明図であり、（ａ）は、本来の印字濃度で印字した印字物の図、（ｂ）は、印字濃度を下げて印字した印字物の図である。
【図６】本発明の一実施形態に係る画像形成装置の裏写り抑制方法を示すグラフ図である。
【図７】本発明の一実施形態に係る画像形成装置の裏写り度合い測定処理手順を示すフローチャート図である。
【図８】本発明の一実施形態に係る画像形成装置の裏写り抑制処理手順を示すフローチャート図である。
【発明を実施するための形態】
【００１２】
以下、本発明の画像形成装置及び画像形成方法の実施形態について、図面を参照して説明する。
図１は、本発明の一実施形態に係る画像形成装置の概略構成を示す側面図である。
この図に示される画像形成装置１は、両面印字機能を備えたモノクロレーザプリンタであり、ハウジング１０を備えている。ハウジング１０の一側部には、印字前の印字用紙Ｐを供給する給紙部１１が構成され、ハウジング１０の上部には、印字後の印字用紙Ｐを排出する排紙部１２が構成されている。
【００１３】
ハウジング１０の内部には、印字用紙Ｐを搬送する印字用紙搬送経路１３が形成されている。
この印字用紙搬送経路１３には、始端部が給紙部１１に接続される画像形成経路１３ａと、始端部が画像形成経路１３ａの終端部に接続され、終端部が排紙部１２に接続される排紙経路１３ｂと、始端部が排紙経路１３ｂの始端部に接続され、終端部が画像形成経路１３ａの始端部に接続される両面印字用戻し経路１３ｃとが含まれている。また、各経路１３ａ〜１３ｃには、印字用紙Ｐを搬送する一又は複数の搬送ローラ対１４〜１６がそれぞれ配置されている。
【００１４】
画像形成経路１３ａには、印字用紙Ｐに画像を形成する画像形成部２０と、印字用紙Ｐに形成した画像を定着させる定着部３０が配置されている。
画像形成部２０は、電子写真技術で感光体ドラム２１上に形成したトナー画像を転写ローラ２２によって印字用紙Ｐ上に転写するように構成されており、図１では、画像形成部２０の構成要素のうち、感光体ドラム２１、転写ローラ２２以外を省略している。
定着部３０は、ハロゲンランプなどの熱源を内蔵した定着ローラ３１と、定着ローラ３１との間で印字用紙Ｐを加圧する加圧ローラ３２とを備えている。
【００１５】
排紙経路１３ｂに配置される搬送ローラ対１５は、印字された印字用紙Ｐを排紙部１２に搬送するとともに、両面印字を行う場合のスイッチバックローラとしても機能するようになっている。
そして、搬送ローラ対１５がスイッチバックさせた印字用紙Ｐは、切換爪１７によって両面印字用戻し経路１３ｃに誘導される。
【００１６】
上記の画像形成装置１において、片面印字を行うときは、給紙部１１から送り出された印字用紙Ｐが画像形成部２０に向けて搬送される。
印字用紙Ｐは、感光体ドラム２１上に形成されたトナー画像を転写された後、定着部３０でトナー画像が定着される。
トナー画像が定着された後の印字用紙Ｐは、排紙経路１３ｂに入り、搬送ローラ対１５によって排紙部１２に排出される。
【００１７】
両面印字を行うときは、片面印字を済ませた印字用紙Ｐの後端が切換爪１７を通過したタイミングで搬送ローラ対１５を逆転させる。
これにより、印字用紙Ｐが両面印字用戻し経路１３ｃに誘導される。両面印字用戻し経路１３ｃに誘導された印字用紙Ｐは、表裏反転状態で画像形成部２０の上流に戻され、残る片面にトナー画像の転写及び定着が行われた後、排紙経路１３ｂを経て排紙部１２に排出される。
このような両面印字においては、印字用紙Ｐの厚さや原稿の濃度によって裏写りが発生し、印字物の可読性が低下することがある。
以下、このような裏写りを抑制する本発明の特徴的な構成について説明する。
【００１８】
図２は、本発明の一実施形態に係る画像形成装置の特徴的な構成を示すブロック図である。
この図に示すように、本発明の一実施形態に係る画像形成装置１は、印字用紙Ｐの裏写り度合いを測定する裏写り度合い測定手段４０と、印字用紙Ｐの裏写り度合いが所定の閾値を超えるとき、文字部以外の印字領域において印字濃度を下げる裏写り抑制手段５０とを備えている。
【００１９】
裏写り度合い測定手段４０は、例えば、画像形成装置１の印字用紙供給部に、ハードウェアである高反射率部材４１、低反射率部材４２、第一反射率センサ４３及び第二反射率センサ４４を追加するとともに、画像形成装置１の画像形成制御部１ａに、ソフトウェアである裏写り度合い判定手段４５を追加することにより構成される。
また、裏写り抑制手段５０は、例えば、画像形成装置１の画像形成制御部１ａにソフトウェアとして追加される。
【００２０】
このような画像形成装置１によれば、両面印字において裏写りが予想される場合に、印字濃度を下げることで裏写りを抑制するものでありながら、裏写りの可能性が低い文字部については、印字濃度を下げずに良好な可読性を維持することができる。
以下、本実施形態の裏写り度合い測定手段４０及び裏写り抑制手段５０の具体例について、図３〜図８を参照して説明する。
【００２１】
図３は、本発明の一実施形態に係る画像形成装置の印字用紙供給部を示す側面図、図４は、本発明の一実施形態に係る画像形成装置の裏写り度合い判定方法を示す表図である。
図２及び図３に示すように、本実施形態の裏写り度合い測定手段４０は、高反射率部材４１と、低反射率部材４２、第一反射率センサ４３、第二反射率センサ４４、裏写り度合い判定手段４５の各部を備えている。
【００２２】
高反射率部材４１は、印字用紙供給部（給紙部１１の終端部又は画像形成経路１３ａの始端部）において、印字用紙搬送経路１３の一側に沿って配置される。
同じく、低反射率部材４２は、印字用紙搬送経路１３の一側に沿って、高反射率部材４１と隣接して配置される。
第一反射率センサ４３は、印字用紙搬送経路１３の他側に配置され、印字用紙搬送経路１３上の印字用紙Ｐを介して高反射率部材４１に光を照射し、その反射光の受光レベルを検出するセンサ手段である。
同じく、第二反射率センサ４４は、印字用紙搬送経路１３の他側に第一反射率センサ４３と隣接して配置され、印字用紙搬送経路１３上の印字用紙Ｐを介して低反射率部材４２に光を照射し、その反射光の受光レベルを検出する。
裏写り度合い判定手段４５は、第一反射率センサ４３の受光レベルと第二反射率センサ４４の受光レベルとの差にもとづいて、印字用紙Ｐの裏写り度合いを判定する判定手段である。
【００２３】
高反射率部材４１は、例えば、白色板を用いて構成し、低反射率部材４２は、白色板よりも反射率の低い黒色板を用いて構成することができる。
また、反射率センサ４３、４４は、例えば、光を照射する発光素子と、その反射光を受光する受光素子とが一体的に組み込まれた汎用の反射式光学センサを用いて構成することができる。
また、裏写り度合い判定手段４５は、画像形成装置１の画像形成制御部１ａにソフトウェアとして追加することができる。
【００２４】
上記の裏写り度合い測定手段４０による裏写り度合いの測定は、両面印字に際し、給紙部１１から送り出された印字用紙Ｐの始端部が高反射率部材４１及び低反射率部材４２上に達したタイミングで実行される。
まず、第一反射率センサ４３及び第二反射率センサ４４からそれぞれ印字用紙Ｐに向けて光を照射し、その反射光の受光レベルを検出する。
【００２５】
ここで、第一反射率センサ４３が受光する反射光は、印字用紙Ｐの表面で反射した光と、印字用紙Ｐを透過して高反射率部材４１の表面で反射し、再度印字用紙Ｐを透過した光とが合成されたものであり、その反射率（受光レベル）は、図４に示すように、印字用紙Ｐの厚さや透過率の影響を受けにくい。
一方、第二反射率センサ４４が受光する反射光は、印字用紙Ｐの表面で反射した光と、印字用紙Ｐを透過して低反射率部材４２の表面で反射し、再度印字用紙Ｐを透過した光とが合成されたものであり、その反射率（受光レベル）は、図４に示すように、印字用紙Ｐの厚さや透過率の影響を受けやすい。
【００２６】
つまり、光が透過しにくい厚い印字用紙Ｐの場合は、多くの光が印字用紙Ｐの表面で反射するので、反射率が高くなるが、光が透過しやすい薄い印字用紙Ｐの場合は、多くの光が印字用紙Ｐを透過して低反射率部材４２に吸収されるので、反射率が低くなる。
従って、第一反射率センサ４３の受光レベルと第二反射率センサ４４の受光レベルとの差を求め、その差が大きいほど裏写り度合いの高い印字用紙Ｐであると判定することができる。
なお、後述する裏写り抑制処理を行うか否かの判断基準となる裏写り度合いの閾値は、印字方式、印字用紙Ｐの材質や色、ユーザの好みなどに応じて任意に設定することができる。
例えば、図４に示す数値を例にすると、反射率の差が７ポイント以上のとき、裏写り抑制処理を行うようにする。
【００２７】
図５は、本発明の一実施形態に係る画像形成装置の裏写り抑制方法を示す説明図であり、（ａ）は、本来の印字濃度で印字した印字物の図、（ｂ）は、印字濃度を下げて印字した印字物の図、図６は、本発明の一実施形態に係る画像形成装置の裏写り抑制方法を示すグラフ図である。
図５に示すように、裏写り抑制手段５０は、印字用紙Ｐの裏写り度合いが所定の閾値を超えるとき、文字部以外の印字領域において印字濃度を下げることにより裏写りを抑制する。
文字部とそれ以外の印字領域は、印字データのデータ種別にもとづいて分別することができる。例えば、印字データにテキストデータ、ラスタデータ及びベクタデータが含まれる場合、テキストデータ部分を文字部として認識し、ラスタデータ及びベクタデータを文字部以外の印字領域として認識する。
【００２８】
裏写り抑制手段５０は、印字用紙Ｐの裏写り度合いが所定の閾値を超えるとき、文字以外の印字領域において印字ドットを間引くことにより、印字濃度を下げることが好ましい。
このようにすると、複雑な階調制御を行うことなく、簡単な印字ドットの間引き処理だけで裏写りを抑制することが可能になる。
【００２９】
図６に示すように、文字以外の印字領域における印字ドットの間引き方法としては、本来の印字濃度を一定の比率で下げる方法や、本来の印字濃度が所定の閾値を超える領域のみ印字濃度を下げる方法が挙げられる。
例えば、本来の印字濃度を一定の比率で下げる方法では、文字部以外の印字領域の印字率（＝印字ドット数／（印字ドット数＋非印字ドット数））を算出した後、これらの印字率を一定の比率（例えば、６０％）で下げる。
また、本来の印字濃度が所定の閾値を超える領域のみ印字濃度を下げる方法では、文字部以外の印字領域の印字率を算出した後、印字率が所定の閾値（例えば、３０％）を超える領域について、印字率を所定の比率（例えば、１／２）で下げる。
【００３０】
また、裏写り抑制手段５０は、印字用紙Ｐの裏写り度合いが所定の閾値を超えるとき、その旨をユーザに報知することが好ましい。
例えば、印字用紙Ｐの裏写り度合いが所定の閾値を超えるとき、表示部に複数の選択肢を表示し、選択された方法で印字を行うようにする。これらの選択肢には、印字濃度を下げて印字する方法、印字濃度を下げずにそのまま印字する方法、両面印字を片面印字に変更する方法、印字を中止する方法などを含むことができる。
【００３１】
次に、本発明の一実施形態に係る画像形成装置１の裏写り度合い測定処理手順及び裏写り抑制処理手順について、図７及び図８を参照して説明する。
図７は、本発明の一実施形態に係る画像形成装置の裏写り度合い測定処理手順を示すフローチャート図である。
【００３２】
この図に示される裏写り度合い測定処理は、印字の開始に際し、印字用紙Ｐの前端部が高反射率部材４１及び低反射率部材４２上に到達したタイミングで実行される処理であり、まず、両面印字であるか否かを判断する（Ｓ１１）。
ここで、両面印字ではないと判断した場合は、そのまま上位ルーチンへ復帰する。
一方、両面印字であると判断した場合は、第一反射率センサ４３及び第二反射率センサ４４の検出値を取得するとともに（Ｓ１２、１３）、その差を算出する（Ｓ１４）。
【００３３】
次に、算出した差が所定の閾値を超えるか否かを判断する（Ｓ１５）。
ここで、算出した差が所定の閾値を超えないと判断した場合は、上位ルーチンへ復帰し、算出した差が所定の閾値を超えると判断した場合は、図８に示す裏写り抑制処理（Ｓ１６）を実行する。
【００３４】
図８は、本発明の一実施形態に係る画像形成装置の裏写り抑制処理手順を示すフローチャート図である。
この図に示すように、裏写り抑制処理では、まず、印字データが文字のみで構成されているか否かを判断する（Ｓ２１）。
ここで、印字データが文字のみで構成されていると判断した場合は、印字ドットの間引き処理を行わず、そのまま上位ルーチンへ復帰する。
一方、印字データが文字のみで構成されるものではないと判断した場合は、表示部に複数の選択肢を表示し（Ｓ２２）、ユーザの選択操作を待つ（Ｓ２３）。
【００３５】
ここで、印字濃度を下げずにそのまま印字するという方法が選択された場合は、印字ドットの間引き処理を行わず、そのまま上位ルーチンへ復帰する。
また、両面印字を片面印字に変更するという方法が選択された場合は、両面印字を片面印字に変更する処理を行った後（Ｓ２４）、上位ルーチンへ復帰する。
また、印字濃度を下げて印字するという方法が選択された場合は、文字部以外の印字領域について前述した印字ドットの間引き処理を行った後（Ｓ２５）、上位ルーチンへ復帰する。
【００３６】
以上のように構成された本実施形態によれば、印字用紙Ｐの両面に印字を行う画像形成装置１であって、印字用紙Ｐの裏写り度合いを測定する裏写り度合い測定手段４０と、印字用紙Ｐの裏写り度合いが所定の閾値を超えるとき、文字部以外の印字領域において印字濃度を下げる裏写り抑制手段５０とを備えることにより、両面印字において裏写りが予想される場合に、印字濃度を下げることで裏写りを抑制するものでありながら、裏写りの可能性が低い文字部については、印字濃度を下げずに良好な可読性を維持することができる。
【００３７】
また、裏写り抑制手段５０は、印字用紙Ｐの裏写り度合いが所定の閾値を超えるとき、文字以外の印字領域において印字ドットを間引くことにより、印字濃度を下げるので、複雑な階調制御を行うことなく、簡単な印字ドットの間引き処理だけで裏写りを抑制することが可能になる。
【００３８】
また、裏写り抑制手段５０は、印字用紙Ｐの裏写り度合いが所定の閾値を超えるとき、文字以外の印字領域において本来の印字濃度を一定の比率で下げることができるので、本来の印字濃度が濃く裏写りの可能性が高い部分については、印字濃度の下げ幅を大きくして裏写りを確実に抑制する一方、本来の印字濃度が薄く裏写りの可能性が低い部分については、印字濃度の下げ幅を小さくして良好な可読性を維持することができる。
【００３９】
また、裏写り抑制手段５０は、印字用紙Ｐの裏写り度合いが所定の閾値を超えるとき、文字以外の印字領域において本来の印字濃度が所定の閾値を超える領域のみ印字濃度を下げることができるので、本来の印字濃度が濃く裏写りの可能性が高い部分については、印字濃度の下げて裏写りを抑制する一方、本来の印字濃度が薄く裏写りの可能性が低い部分については、印字濃度の下げずに良好な可読性を維持することができる。
【００４０】
また、裏写り抑制手段５０は、印字用紙Ｐの裏写り度合いが所定の閾値を超えるとき、その旨をユーザに報知するので、裏写りしやすい印字用紙Ｐであることをユーザが認識できるだけでなく、両面印字を片面印字に変更したり、印字を中止して印字用紙Ｐを変更するなどの対処が可能になる。
【００４１】
また、裏写り度合い測定手段４０は、印字用紙搬送経路１３の一側に沿って配置される高反射率部材４１と、印字用紙搬送経路１３の一側に沿って配置される低反射率部材４２と、印字用紙搬送経路１３の他側に配置され、印字用紙搬送経路１３上の印字用紙Ｐを介して高反射率部材４１に光を照射し、その反射光の受光レベルを検出する第一反射率センサ４３と、印字用紙搬送経路１３の他側に配置され、印字用紙搬送経路１３上の印字用紙Ｐを介して低反射率部材４２に光を照射し、その反射光の受光レベルを検出する第二反射率センサ４４と、第一反射率センサ４３の受光レベルと第二反射率センサ４４の受光レベルとの差にもとづいて、印字用紙Ｐの裏写り度合いを判定する裏写り度合い判定手段４５とを備えることができる。
これにより、電子部品（発光素子及び受光素子）を印字用紙搬送経路１３の他側に集中的に配置することができ、その結果、印字用紙搬送経路１３を挟むように発光素子と受光素子を配置して印字用紙Ｐの透過率を検出する場合に比べ、配線の引き回しが簡単になるだけでなく、印字用紙搬送経路１３の両側に十分な配置スペースを確保できない画像形成装置１でも実施が可能になる。
【００４２】
以上、本発明について、実施形態を示して説明したが、本発明は、上述した実施形態にのみ限定されるものではなく、特許請求の範囲内で種々の変更が可能であることは言うまでもない。
例えば、上記の実施形態では、本発明が適用されたモノクロ電子写真方式の画像形成装置を示したが、カラー電子写真方式の画像形成装置や、電子写真方式以外（インクジェット方式、ドットインパクト方式など）の画像形成装置でも本発明を適用することができる。
【産業上の利用可能性】
【００４３】
本発明は、印字用紙の両面に印字を行う複写機、プリンタ、ファクシミリなどの画像形成装置及び画像形成方法に適用することができる。
【符号の説明】
【００４４】
１  画像形成装置
１０  ハウジング
１１  給紙部
１２  排紙部
１３  印字用紙搬送経路
４０  裏写り度合い測定手段
４１  高反射率部材
４２  低反射率部材
４３  第一反射率センサ
４４  第二反射率センサ
４５  裏写り度合い判定手段
５０  裏写り抑制手段
Ｐ  印字用紙
【図１】
2011174962.tif 000003
【図２】
2011174962.tif 000004
【図３】
2011174962.tif 000005
【図４】
2011174962.tif 000006
【図５】
2011174962.tif 000007
【図６】
2011174962.tif 000008
【図７】
2011174962.tif 000009
【図８】
2011174962.tif 000010